(57)【要約】      （修正有）【課題】アンカーボルトの螺合に対しては、特別な治具がなくともアンカーボルトを旋回させることが可能なアイボルトを提供すること。【解決手段】Ｕ字状の頭部と脚部を有するリンク６と、下向きに開放された凹部４ａを備えたキャップ４と、吊下げられる取付対象物に螺合されるアンカーボルト２と、アンカーボルト２のまわりに回転自在であり、キャップ４の下側に固定されて凹部４ａの下向きの開放を閉鎖し、アンカーボルト２の頭部とリンク６の脚部をスリーブとキャップの内側に形成される空間に収容するスリーブ３とを有し、リンク６の脚部とアンカーボルト２の頭部には、互いに雌雄の嵌合関係となる嵌合部ＤＨ、ＳＨが夫々設けられており、リンク６の脚部は、キャップ４の凹部４ａの中で上下動可能であり、リンク６の脚部を降ろした際には嵌合部ＤＨ、ＳＨが嵌合し、引き上げた際には分離する。【選択図】図１
2017190848.tif 000002
【特許請求の範囲】
【請求項１】
脚部とＵ字状の頭部とを有するリンクと、
前記脚部の上側が揺動可能に当接する、下向きに開放された凹部を備えたキャップと、
吊下げられる取付対象物に軸部が螺合されるアンカーボルトと、
前記アンカーボルトのまわりに回転自在であり、前記キャップの下側に固定されて前記凹部の下向きの開放を閉鎖し、前記アンカーボルトの頭部と前記リンクの脚部をスリーブと前記キャップの内側に形成される空間に収容するスリーブとを有し、
前記リンクの脚部と前記アンカーボルトの頭部には、互いに雌雄の嵌合関係となる嵌合部が夫々設けられており、
前記リンクの脚部は、前記スリーブとキャップに収容された状態において、前記キャップの凹部の中で上下動可能であり、前記リンクの脚部を降ろした際には、前記リンクとアンカーボルトの嵌合部同士が嵌合し、前記リンクの脚部を引き上げた際には、嵌合部同士が分離することを特徴とするアイボルト。
【請求項２】
前記スリーブが固定される前記キャップの下側を取り囲むリングが、当該キャップに固定されていることを特徴とする請求項１のアイボルト。
【発明の詳細な説明】
【技術分野】
【０００１】
本発明は、機械等の取付対象物にアンカーボルトを螺合し，頭部のリンクにフックやワイヤーなどを通してつり上げ，移動するのに用いるアイボルトに係り、特に取付対象物に特別な治具を用いずに容易にねじ込み可能なアイボルトに関する。
【背景技術】
【０００２】
アイボルトは、機械等の取付対象物に螺合自在なアンカーボルトとリンクが一体となったものや、アンカーボルト部とリンクが別体となっているものなどが知られている。例えば、特許文献１においては、一体状のアイボルトが、特許文献２には別体状のアイボルトが開示されている。特許文献２に示すような別体状のアイボルトでは、リンクは中空のシリンダを有しており、アンカーボルトをシリンダの中空に差し込んでボルト頭部を治具（例えば六角レンチ等）により回転して、機械等の取付対象物にアンカーボルトを螺合する。別体状のアイボルトの他の例として、特許文献３にはリンクが取付面に対して１８０度自由に回転できるようにし、重量物の引き起しや反転作業等にも使用されてもアイボルトが変形しにくいようにしている。
【先行技術文献】
【特許文献】
【０００３】
【特許文献１】特開２０１２−５１６８４号公報
【特許文献２】特開２００６−１１８６７６号公報
【特許文献３】特許２７６１６６０号公報
【発明の開示】
【発明が解決しようとする課題】
【０００４】
一体状のアイボルトは、手で回転させて取付対象物に螺合することが可能であるが、別体状のアイボルトはアンカーボルトを螺合させるために、特別な治具が必要である。アイボルトのボルト頭部の形状が大きくなると、リンクに干渉するために、必然的に小さなボルト頭部を治具により回転させて螺合しているのである。
本発明は、アンカーボルトとリンクが別体となっているアイボルトであって、アンカーボルトの螺合に対しては、特別な治具がなくともアンカーボルトを旋回させることが可能なアイボルトを提供することを目的とする。
【課題を解決するための手段】
【０００５】
本発明に係るアイボルトは、脚部とＵ字状の頭部とを有するリンクと、
前記脚部の上側が揺動可能に当接する、下向きに開放された凹部を備えたキャップと、
吊下げられる取付対象物に軸部が螺合されるアンカーボルトと、
前記アンカーボルトのまわりに回転自在であり、前記キャップの下側に固定されて前記凹部の下向きの開放を閉鎖し、前記アンカーボルトの頭部と前記リンクの脚部をスリーブと前記キャップの内側に形成される空間に収容するスリーブとを有し、
前記リンクの脚部と前記アンカーボルトの頭部には、互いに雌雄の嵌合関係となる嵌合部が夫々設けられており、
前記リンクの脚部は、前記スリーブとキャップに収容された状態において、前記キャップの凹部の中で上下動可能であり、前記リンクの脚部を降ろした際には、前記リンクとアンカーボルトの嵌合部同士が嵌合し、前記リンクの脚部を引き上げた際には、嵌合部同士が分離することを特徴とする。
【発明の効果】
【０００６】
本発明のアイボルトによれば、特別な治具がなくともアンカーボルトを旋回させることが可能になる。
【図面の簡単な説明】
【０００７】
【図１】本実施例によるアイボルトの斜視図である。
【図２】アイボルトの構成と、組立てる様子を示す図である。
【図３】アイボルトの使用状態を示す図である。
【発明を実施するための最良の形態】
【０００８】
図１は、本実施例によるアイボルト１を示している。図１Ａにおいて、本実施例によるアイボルト１は、吊下げられる取付対象物に螺合されるアンカーボルト２と、アンカーボルト２のまわりに回転自在な中空円筒のスリーブ３と、スリーブの下側に固定されるキャップ４と、キャップ４の下向きに開放された凹部４ａに対して回転可能に当接するリンク６とを備えている。
【０００９】
図２は、アイボルトの構成と、組立てる様子を示している。図２Ａは、リンク６の正面を示し、図２ＢはＸ―Ｘ断面を示している。図２Ｃはリンク６０を示し、図２Ｄはアイボルト１の各構成の一部断面を示している。図２Ａにおいて、リンク６は、対称線ｓに対して左右線対称であって、頭部６ｄがＵ字状であって、フックやワイヤなどが掛けられる。一方、脚部６ａが閉脚しており、リンク６の全体として一周する輪状となっている。脚部６ａの下側であって、対称線ｓの位置に、アンカーボルト２を回転させる治具の頭部形状が付与されている。本実施例においては、後に説明するようにアンカーボルト２がマイナス螺子の頭部形状を有していることに対応して、脚部６ａにはＸ―Ｘ断面を示す図２Ｂに表れるように、マイナス螺子に対するマイナスドライバーのような嵌合部ＤＨが設けられている。脚部６ａの上側は、キャップ４の下向きの凹部４ａに揺動可能に当接する箇所である。リンク６は、輪状であるため、座屈しにくい。
【００１０】
図２Ｃに示すリンク６０は、リンク６に代えて変形例として用いるものであり、脚部６ｂ、６ｃに開脚し互いに対向する形状している。リンク６０では、脚部６ｂ若しくは６ｃを延長した先にはマイナス螺子に対するドライバーヘッドＤＨが設けられており、脚部６ｂ及び６ｃの上側は、キャップ４の下向きの凹部４ａに揺動可能に当接する箇所である。
【００１１】
図２Ｄにおいて、キャップ４は、釣り鐘状で下に向けて開口している凹部４ａを有している。キャップ４、図中高さ方向に頭頂部となる部位４１と、その下の部位４２、４３、４４とに分割できる。部位４２においては、凹部４ａはリンク６の底辺６ａ（若しくはリンク６０の脚部６ｂ及び６ｃ）が上下動可能な内側の空間を有している。部位４３は、凹部４ａによる空間がキャップ４内側で拡大しており、アンカーボルト２の頭部２１を収容可能な内側の空間を有している。部位４３も同様に、凹部４ａによる空間がキャップ４内側で拡大しており、スリーブ３が螺合可能なように内周に雌螺子山４ｂを有する中空円筒状の内側の空間を有している。さらに、部位４３の下端には円周状に脚４ｃが設けられている。
【００１２】
アンカーボルト２は、図中高さ方向に頭部２１と軸部２２、２３とを有している。頭部２１はスリーブ３の中空３ｄよりも大きい部位であり、軸部２２はスリーブ３が自在に回転する軸心となる部位であり、軸部２３は取付対象物に螺合される部位である。頭部２１の頭頂には、マイナス螺子の頭部形状のような嵌合部ＳＨが設けられている。嵌合部ＳＨはリンク６の嵌合部ＤＨに対して、雌雄の嵌合可能な関係にある。頭部２１から軸部２２に到るネック２ｃは、断面が円弧状となっており、ネックの一点に応力が集中しないようになっている。また、軸部２２、２３の間においても、面が円弧状となっている。この箇所は、取付対象物に埋まる軸部２３との境界の位置となるため、軸部２３の螺子の谷部のような急峻な形状を避けて、一点に応力が集中しないようになっている。
【００１３】
スリーブ３は、軸部２２に対して回転自在に外環する中空３ｄを有した円筒状をしており、図中高さ方向に固定部３１とフランジ部３２とを有している。固定部３１の外周には雄螺子山３ａが設けられており、キャップ４の雌螺子山４ｂと螺合する。フランジ部３２の外周には円周状に突起３ｃが設けられており、キャップ４と螺合した際にキャップ４の脚部４ｃの周囲を取り囲んで保持する。固定部３１の頭頂面から中空３ｄに到る境界部３ｅは、断面円弧状であり、頭部２１から軸部２２に到る円弧状のネック２ｃと面接触が可能なようになっている。
【００１４】
アンカーボルト２をスリーブ３の中空３ｄに差し込み、一方リンク６の脚部６ａをキャップ４の凹部４ａに挿入し、スリーブ３の雄螺子山３ａとキャップ４の雌螺子山４ｂを螺合する。凹部４ａの下側の開放はスリーブ３により閉塞され、キャップ４とスリーブ３の内側に形成された空間に、リンク６の脚部６ａ（若しくは６ｂ、６ｃ）とアンカーボルト２の頭部４１とが収容される。この状態において、リンク６の嵌合部ＤＨとアンカーボルト２の嵌合部ＳＨが互いに対向した状態になっている。
【００１５】
図３は、アイボルト１の使用状態を示している。リンク６（具体的にはリンク６の脚部６ａ）は軸部４２における凹部４ａの中で上下動が可能である。アイボルト１を取付対象物ＯＢに螺合する際には、リンク６（の脚部６ａ）を起立状態のまま下降させてアンカーボルト２の頭部２１に押し当て、嵌合部ＳＨと嵌合部ＤＨとを嵌合させる。この状態でリンク６を回転させると、回転力はアンカーボルト２に伝達されて、アンカーボルト２は取付対象物ＯＢに螺合する。アンカーボルト２を回転させるための特別な治具は必要がない。アンカーボルト２を取付対象物ＯＢに対して、締め付け、その後逆に少し回転させれば、取付対象物ＯＢにスリーブ３のフランジ部３２が接触しながら締め付けトルクが殆ど無い状態となり、アンカーボルト２の軸部２２の廻りでスリーブ３が自由に回転可能である。
【００１６】
図３Ｂにおいて、リンク６（の脚部６ａ）を上に引き上げると嵌合部ＳＨと嵌合部ＤＨの嵌合が外れ、リンク６は凹部４ａの湾曲部に当接して、方向ｒに対して回転可能になる。アンカーボルト２を取付対象物ＯＢから取り外すときには、再度、嵌合部ＳＨと嵌合部ＤＨを嵌合させれば良い。
【００１７】
このような実施例の構成によれば、アンカーボルト２の螺合に対しては、特別な治具がなくともアンカーボルト２を旋回させることができる。なお、嵌合部ＤＨと嵌合部ＳＨとは、マイナスドライバーとマイナス螺子の関係であったが、例えば、プラスドライバーとプラス螺子あるいは、六角ボルトとスパナ等のような他の関係の嵌合構造であっても良い。また、本実施例では、アンカーボルト２を取付対象物ＯＢに対して締め付けトルクを加えた状態で締結すると、スリーブの回転はほぼ不可能になる。しかし、アンカーボルト２とスリーブ３の間に、特許文献３に示されるようなスリーブをさらに挿入すれば、取付対象物ＯＢに対して締め付けトルクを加えた状態で締結してもスリーブ３は回転可能である。上記実施例においては、リンク６の嵌合部ＤＨは、リンク６又は６０自体を削り出して形成したが、嵌合部ＤＨを別途作成して、取り付けるようにしても良い。
【００１８】
図１Ｂは、リング７によりキャップ４の下側の部位４４の周囲を一周取り囲み、補強した例を示す。リング７は、キャップ４あるはスリーブ３にまで到った雌螺子孔９にボルト８を螺合して固定される。リング７を設けたことにより、凹部４ａが広がることが抑止される。
【符号の説明】
【００１９】
１  アイボルト
２  アンカーボルト
３  スリーブ
４  キャップ
６  リンク
７  リング
【図１】
2017190848.tif 000003
【図２】
2017190848.tif 000004
【図３】
2017190848.tif 000005
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
脚部とＵ字状の頭部とを有するリンクと、
前記脚部の上側が揺動可能に当接する、下向きに開放された凹部を備えたキャップと、
吊下げられる取付対象物に軸部が螺合されるアンカーボルトと、
前記アンカーボルトのまわりに回転自在であり、前記キャップの下側に固定されて前記凹部の下向きの開放を閉鎖し、前記アンカーボルトの頭部と前記リンクの脚部をスリーブと前記キャップの内側に形成される空間に収容するスリーブとを有し、
前記リンクの脚部と前記アンカーボルトの頭部には、互いに雌雄の嵌合関係となる嵌合部が夫々設けられており、
前記リンクの脚部は、前記スリーブとキャップに収容された状態において、前記キャップの凹部の中で上下動可能であり、前記リンクの脚部を降ろした際には、前記リンクとアンカーボルトの嵌合部同士が嵌合し、前記リンクの脚部を引き上げた際には、嵌合部同士が分離し、
さらに、前記スリーブは内周側では前記アンカーボルトの軸部を外環し、外周側では雄螺子山が設けられ、頭頂面には前記アンカーボルト頭部が載せられる円筒状の固定部を有しており、
前記キャップの内側に形成される空間であって、前記キャップの凹部の中で前記リンクの脚部が上下動可能とする空間の下側の空間内周には前記雄螺子山が螺合される雌螺子山が設けられていることを特徴とするアイボルト。
【請求項２】
前記アンカーボルトの頭部から軸部に到るネックは断面が円弧状となっており、一方、前記固定部の頭頂面から前記固定部内部の中空に到る境界部は断面円弧状であり、前記中空に差し込まれた前記アンカーボルトの前記円弧状のネックと前記断面円弧状の境界部とが面接触可能なようになっていることを特徴とする請求項１のアイボルト。
【手続補正２】
【補正対象書類名】明細書
【補正対象項目名】０００５
【補正方法】変更
【補正の内容】
【０００５】
本発明に係るアイボルトは、脚部とＵ字状の頭部とを有するリンクと、
前記脚部の上側が揺動可能に当接する、下向きに開放された凹部を備えたキャップと、
吊下げられる取付対象物に軸部が螺合されるアンカーボルトと、
前記アンカーボルトのまわりに回転自在であり、前記キャップの下側に固定されて前記凹部の下向きの開放を閉鎖し、前記アンカーボルトの頭部と前記リンクの脚部をスリーブと前記キャップの内側に形成される空間に収容するスリーブとを有し、
前記リンクの脚部と前記アンカーボルトの頭部には、互いに雌雄の嵌合関係となる嵌合部が夫々設けられており、
前記リンクの脚部は、前記スリーブとキャップに収容された状態において、前記キャップの凹部の中で上下動可能であり、前記リンクの脚部を降ろした際には、前記リンクとアンカーボルトの嵌合部同士が嵌合し、前記リンクの脚部を引き上げた際には、嵌合部同士が分離し、
さらに、前記スリーブは内周側では前記アンカーボルトの軸部を外環し、外周側では雄螺子山が設けられ、頭頂面には前記アンカーボルト頭部が載せられる円筒状の固定部を有しており、
前記キャップの内側に形成される空間であって、前記キャップの凹部の中で前記リンクの脚部が上下動可能とする空間の下側の空間内周には前記雄螺子山が螺合される雌螺子山が設けられていることを特徴とする。
【手続補正３】
【補正対象書類名】明細書
【補正対象項目名】００１１
【補正方法】変更
【補正の内容】
【００１１】
図２Ｄにおいて、キャップ４は、釣り鐘状で下に向けて開口している凹部４ａを有している。キャップ４、図中高さ方向に頭頂部となる部位４１と、その下の部位４２、４３、４４とに分割できる。部位４２においては、凹部４ａはリンク６の脚部６ａ（若しくはリンク６０の脚部６ｂ及び６ｃ）が上下動可能な内側の空間を有している。部位４３は、凹部４ａによる空間がキャップ４内側で拡大しており、アンカーボルト２の頭部２１を収容可能な内側の空間を有している。部位４３も同様に、凹部４ａによる空間がキャップ４内側で拡大しており、スリーブ３が螺合可能なように内周に雌螺子山４ｂを有する中空円筒状の内側の空間を有している。さらに、部位４３の下端には円周状に脚４ｃが設けられている。